(57)【特許請求の範囲】
【請求項１】
本体とこの本体に複数枚のコインを収容することのできる収容部と、前記コインの各額面（５００円、１００円、５０円、１０円、５円、１円、以下各額面）の周縁部に形成されている凹凸の有無、及び前記コインの前記各額面に形成されている穴の有無を指にて触れることのできるように形成され且つ、前記コインの挿脱可能な開口部を設けることによって視覚障害者でも収容されている前記各額面のコインの種別を指で判別することができ、前記開口部から収容された一枚もしくは、複数枚の前記コインを保持することができ且つ、収容されている前記コインを一枚ずつ取り出すことのできる保持体を少なくとも１ヶ所設けた前記本体と、ＩＣ乗車券や電子マネー用に使用するカードを指の押圧にて挿脱可能な少なくとも一ヶ所のガイド部とカード収容部を設け、前記ガイド部から収容された前記カードを保持するカード保持部を設けたカード収容本体とが固着形成され備えてなるコインホルダにおいて、コインを摘んで収容、もしくは収容されている前記コインを摘んで取り出せるように、本体とカード収納本体とが摺接移動するように形成され備えてなることを特徴とするコインホルダ。
【請求項２】
本体とこの本体に複数枚のコインを収容することのできる収容部と、前記コインの各額面（５００円、１００円、５０円、１０円、５円、１円、以下各額面）の周縁部に形成されている凹凸の有無、及び前記コインの前記各額面に形成されている穴の有無を指にて触れることのできるように形成され且つ、前記コインの挿脱可能な開口部を設けることによって視覚障害者でも収容されている前記各額面のコインの種別を指で判断することができ、前記開口部から収容された一枚もしくは、複数枚の前記コインを保持することができ且つ、収容されている前記コインを一枚ずつ取り出すことのできる保持体を少なくとも１ヶ所設けた前記本体と、ＩＣ乗車券や電子マネー用に使用するカードの挿脱可能な少なくとも一ヶ所のガイド部とカード収容部を設け、前記ガイド部から収容された前記カードを保持するカード保持部と、収容された一枚もしくは複数枚の前記カードをガタつくことなく支持することのできるカード支持体を少なくとも１ヶ所設けたカード収容本体とが固着形成され備えてなるコインホルダにおいて、コインを摘んで収容、もしくは収容されている前記コインを摘んで取り出せるように、本体とカード収納本体とが摺接移動するように形成され備えてなることを特徴とするコインホルダ。
【発明の詳細な説明】
【技術分野】
【０００１】    本発明は、コイン及びＩＣ乗車券や電子マネー用に使用するカードを収容することのできるコインホルダ、に関する。
【背景技術】
【０００２】    従来、視覚障害者でも使用できるコインホルダと、自動改札機にて使用するＩＣ乗車券や自動販売機、コンビニ等で使用する電子マネー用に使用するカードホルダとの一体化されたものはなく、これまでにコインは小銭入れの中に、ＩＣ乗車券や電子マネー用に使用するカードは、他種類のカードと共にカード入れにと別々に財布の中に収納して使用していることが考えられている。【０００３】    しかしながら、従来の財布の中の小銭入れに入っている各額面（５００円、１００円、５０円、１０円、５円、１円）のコインの種類及び、枚数の確認に時間がかかり、ＩＣ乗車券や電子マネー用に使用するカードを財布の中から取り出すことに手間どって、レジでの支払がスムーズに行うことができず、更に視覚障害者はこの小銭入れに収納されている各額面のコインの枚数の確認が非常に困難を極め、コインを使用してレジでの支払いを行うことができないといった欠点があった。
【特許文献１】  特開  ２００３−１７４９１２
【特許文献２】  実用新案登録  第３１５６９７４号
【発明の開示】
【発明が解決しようとする課題】
【０００４】    本発明は以上のような従来の欠点に鑑み、視覚障害者であっても各額面のコインの種類を判別ができるコインホルダとＩＣ乗車券や電子マネー用に使用するカードホルダとが一体化されているため、ＩＣ乗車券や電子マネー用に使用するカードでの支払い、及びコインでの支払いでもスムーズに行うことのできるコインホルダを提供することを目的としている。【０００５】    本発明の前記ならびにそのほかの目的と新規な特徴は次の説明を添付図面と照らし合わせて読むと、より完全に明らかになるだろう。
ただし、図面は解説のためのものであって、本発明の技術的範囲を限定するものではない。
【課題を解決するための手段】
【０００６】    上記目的を達成するために、本発明は本体とこの本体に複数枚のコインを収容することのできる収容部と、前記コインの各額面（５００円、１００円、５０円、１０円、５円、１円、以下各額面）の周縁部に形成されている凹凸の有無、及び前記コインの前記各額面に形成されている穴の有無を指にて触れることのできるように形成され且つ、前記コインの挿脱可能な開口部を設けることによって視覚障害者でも収容されている前記各額面のコインの種別を指で判別する事ができ、前記開口部から収容された一枚もしくは、複数枚の前記コインを保持することができ且つ、収容されている前記コインを一枚ずつ取り出すことのできる保持体を少なくとも１ヶ所設けた前記本体に、ＩＣ乗車券や電子マネー用に使用するカードを指の押圧にて挿脱可能な少なくとも１ヶ所のガイド部とカード収容部を設け、前記ガイド部から収容された前記カードを保持するカード保持部を設けたコインホルダを構成している。
【発明の効果】
【０００７】    以上の説明から明らかなように、本発明にあっては次に列挙する効果が得られる。
（１）コインホルダにコインとカードを収容することができ、このコインホルダに収容されているコインの金額を目視にて瞬時に判別することができて、前記コインの各額面（５００円、１００円、５０円、１０円、５円、１円）の周縁部に形成されている凹凸の有無、及び前記コインの前記各額面に形成されている穴の有無を指にて触れることのできるように形成されていることによって、視覚障害者でも前記コインホルダに収納されている前記コインの前記各額面の種類、枚数、金額を指にて判断をすることができ、シリコンチューブ、シリコンゴム、ウレタンゴムなどの復元力のある保持体によって、収容されている前記コインの個々を抑えるようにして保持されているため、開口部より指で押すようにして収容されている前記コインをスライドさせ、確実に１枚ずつ順次に前記コインを取り出すことができることにより、健常者は云うまでもなく視覚障害者であっても、支払が現金であるスーパーマーケットや売店などでは、レジで早く正確にコインでの支払を行うことができるため、レジの係りの店員や並んでいる他の人々を待たせることがなくスムーズな買物を行うことができ、ＩＣ乗車券使用のＪＲ、地下鉄などの自動改札口においては、前記コインホルダに収容されているままの状態でＩＣ乗車券用カードにて速やかに自動支払を行うことができることによって、他の並んでいる人々を待たせることがなく、現金もしくは電子マネー用カードにて支払うことのできるコンビニ、自動販売機、バス、などの支払においてもコインによる現金支払いでも、カードによる自動支払においても瞬時に早くしかも正確に支払うことができるため、並んでいる他の人々を待たせることがなく支払を速やかに行うことができ、更に収容されているＩＣ乗車券用、あるいは電子マネー用に使用する前記カードのチャージを行う時は、収容されている前記カードの端部を指で押し込むようにして楽に前記コインホルダより前記カードを取り出すことができる。【０００８】    （２）前記（１）によって、コインホルダに収容されているコインやカードの挿脱を指で楽に行うことができるため、前記コインの取り出しや収容、前記カードのチャージを楽に行うことができる。【０００９】    （３）前記（１）によって、レジで早く正確にコインでの支払を行うことができ、レジ係の店員を待たせることなく、スムーズな清算ができることによって、ストレスを感じることなく、快適な買物を行うことができる。【００１０】    （４）前記（１）によって、コインとカードが一体化されているため、前記コインでの支払いでも、前記カードによる支払でも瞬時に行うことができ、快適な清算を行うことができる。【００１１】    （５）請求項２も前記（１）〜（４）と同様な効果が得られることができる。【００１２】    （６）請求項３も前記（１）〜（４）と同様な効果が得られると共に、コインホルダに収容されたカードが一枚でも、複数枚であっても前記カードをガタつくことなく支持することができるので、ＩＣ乗車券用カード、あるいは電子マネー用カードのみならずポイントカードやキャッシュカードその他いずれかのカードをも併用して収納することができ、利用者の好みに合ったカードを併用して使用することができる���【００１３】    （７）請求項４も前記（１）〜（４）及び（６）と同様な効果が得られると共に、コインホルダにコインを指で摘んで収容、もしくは前記コインホルダに収容されているコインを指で摘んで取り出すことができる。
【発明を実施するための最良の形態】
【００１４】    以下、図面に示す実施するための最良の形態により、本発明を詳細に説明する。【００１５】    図１ないし図９の第１の実施するための最良の形態において、１は本発明のコインホルダであり、合成樹脂、アルミ、ステンレスなどで形成された本体２に図９にて示すように、各額面のコイン３の内５００円３Ａは、穴なしの周縁部２０は凹凸が斜めに形成され、１００円３Ｂは穴なしの周縁部２０は凹凸が縦に形成され、５０円３Ｃは穴２１ありの周縁部２０は凹凸が縦に形成され、昭和３４年以降発行の１０円３Ｄは穴なしの周縁部２０は凹凸がなく、５円３Ｅは穴２１ありの周縁部２０は凹凸がなく、１円３Ｆは、穴なしの周縁部２０は凹凸がなく形成されているため、「現在の日本のコイン３は世界のコイン３の中でも視覚障害のある人々にとって、各額面の区別が付きやすいものとなっています。日本専門図書出版、平石國雄、二橋瑛共著平成１４年４月２７日初版発行世界コイン図鑑２３１ページより抜枠」図１にて示すように、視覚障害者が指１１にて、各額面のコイン３に形成されている穴２１の有無、周縁部２０の凹凸の有無、コイン３の大小によって各額面のコイン３の種別を判断できるように形成され且つ、前記コインを指１１で挿脱可能な開口部４と前記コイン３を複数枚収容可能な収容部５が異なる種類のコイン３を収容することができるよう、その大きさが異なるように設定されており、前記開口部４から収容された一枚もしくは、複数枚のコイン３が１枚でも斜めに収容しても離脱しないように少なくとも一ヶ所のシリコンチューブ、シリコンゴム、ウレタンゴム、など復元力のある保持体６によって収容された前記コインの個々を抑えるように保持されており、前記収容部５に収容された前記コイン３を使用するときは指１１で押すようにして前記コイン３をスライドさせて１枚ずつ順次に取り出すかもしくは、前記コイン３の両側から指１１で摘んで複数枚の前記コイン３を一度に取り出して使用しても良く、この前記コイン３を収容部５に収容するときは、前記コイン３を摘むようにして前記開口部４より前記収容部５に押し込んで前記コイン３を収容部５に収容して使用し、前記本体２にＩＣ乗車券や電子マネー用に使用するカード７をスロープ状に形成されたガイド部８よりカード収容部９へ押し込むと、カード収容部９に収容された前記カード７はガイド部８とカード保持部１０によって離脱しないように保持されており、このままの状態にて駅の改札口やコンビニ、バスなどの自動支払を行うことができ、前記カード７を取り出す場合においては、図５及び、図６にて示すように、前記カード７の端部を指１１で押し込むようにして前記ガイド部８よりスライドさせて前記カード７を前記本体２より取り出すことのできるように構成されている。【００１６】  尚、２０１３年３月より、全国の電車に使用されるＩＣ乗車券においては、一部の区間を除いて１つのカード７にて使用することが可能となり、更にＳＵＩＣＡ、あるいはＰＡＳＭＯなどのカード７においてはＪＲ、地下鉄などのＩＣ乗車券、及びコンビニ、タクシー、バス、自動販売機などの電子マネー用カード７の支払が可能であるため、これに基づいて１つのカード７にてＩＣ乗車券及び、電子マネー用��ード７の自動支払を可能なものとして説明を行っている。【００１７】    上記構成のコインホルダ１は、コイン３とカード７を収容することができ、このコインホルダ１に収容されている前記コイン３の金額を目視にて瞬時に判別することができて、前記コイン３の各額面（５００円３Ａ、１００円３Ｂ、５０円３Ｃ、１０円３Ｄ、５円３Ｅ、１円３Ｆ）の周縁部２０に形成されている凹凸の有無、及び前記コイン３の前記各額面に形成されている穴２１の有無を指１１にて触れることにできるように形成されていることにより、視覚障害者でも前記コインホルダ１に収容されている各額面のコイン３の種類と枚数、金額を開口部４より指１１にて判別することができ、シリコンチューブ、シリコンゴム、ウレタンゴム、などの復元力のある保持体６によって前記コイン３の個々を抑えるようにして保持されているため、開口部４より指１１で押すようにして収容された前記コイン３をスライドさせて、確実に１枚ずつ順次に前記コイン３を取り出すことができることによって、健常者は云うまでもなく視覚障害者であっても、売店やスーパーなどの支払が現金の場合においては、レジで早く正確にコイン３での支払を行うことができるため、レジ係りの店員や並んでいる人々を待たせることなくスムーズな買物を行うことができ、ＪＲ、地下鉄などＩＣ乗車券使用の自動改札口おいては、前記コインホルダ１に収容されているＩＣ乗車券用カード７を収容されたままの状態にて速やかに自動支払を行うことができるため、改札口で並んでいる人々を待たせることがなく、電子マネー用カード７もしくは現金にて支払を行うことのできるコンビニ、バス、タクシー、自動販売機などの支払においても、コイン３による現金での支払いでも、カード７による支払いでも瞬時に早くしかも正確に支払う事ができるため、並んでいる人々を待たせることがなくスムーズに支払うことができ、更に収容されているＩＣ乗車券、あるいは電子マネーに使用する前記カード７のチャージを行う時は、収容されている前記カード７の端部を指１１で押し込むようにして楽に前記コインホルダ１より取り出すことができることにより速やかにチャージを行うことができる。
【発明を実施するための異なる形態】
【００１８】    次に図１０ないし図３０に示す本発明を実施するための異なる形態につき説明する。尚、これらの本発明を実施するための異なる形態の説明に当たって、前記本発明の第１の実施するための最良の形態と同一構成部分には同一符号を付して重複する説明を省略する。
【００１９】    図１０ないし図１３の本発明の第２の実施するための形態において、前記本発明の第１の実施するための最良の形態と主に異なる点は、本体２とこの本体２に複数枚のコイン３を収容することのできる収容部５と、前記コイン３の各額面（５００円３Ａ、１００円３Ｂ、５０円３Ｃ、１０円３Ｄ、５円３Ｅ、１円３Ｆ）の周縁部２０に形成されている凹凸の有無、及び前記コイン３の前記各額面に形成されている穴２１の有無を指１１にて触れることのできるように形成され且つ、前記コイン３を指１１で挿脱可能な開口部４を設け、これにより視覚障害者でも収容されている前記各額面のコイン３の種別を指１１で判別することができ、前記開口部４から収容された一枚もしくは、複数枚の前記コイン３を保持する保持体６を少なくとも１ヶ所設けた前記本体２と、ＩＣ乗車券や電子マネー用に使用するカード７を指１１の押圧にて挿脱可能な少なくとも１ヶ所のガイド部８とカード収容部９を設け、前記ガイド部８から収容された前記カード７を保持するカード保持部１０を設けたカード収容本体１２をボルト締め、接着、溶着、などで固着形成するか、もしくは図１１及び、図１２にて示すように、前記本体２とカード収容本体１２のいずれか一方に係止部１３を形成し、他方に係止片１４を設け、前記本体２と前記カード収容本体１２を押圧して前記本体２と前記カード収容本体１２とが係止部１３と係止片１４によって固着形成された点でこのようにしても、前記本発明の第１の実施するための最良の形態と同様な作用効果が得られる。
【００２０】    図１４ないし図１７の本発明の第３の実施するための形態において、前記本発明の第２の実施するための形態と主に異なる点は、カード収容本体１２に少なくとも１ヶ所のシリコンチューブ、シリコンゴム、ウレタンゴムなど復元力のあるカード支持体１５によって、収容された一枚、もしくは複数枚のカード７をガタつくことなく支持するように設けた点であり、このようにしても前記本発明の第２の実施するための形態と同様な作用効果が得られると共に、一枚でも複数枚であっても収容された前記カード７をガタつくことなく支持することができるので、ＩＣ乗車券用カード７、あるいは電子マネー用カード７のみならずポイントカード７、キャッシュカード７その他いずれかのカード７をも併用して収納することができ、利用者の好みに合ったカード７を併用して使用することができる。
【００２１】    図１８ないし図３０の本発明の第４の実施するための形態において、前記本発明の第２の実施するための形態、及び前記本発明の第３の実施するための形態と主に異なる点は、コイン３を指１１で摘んで収容、もしくは収容されている前記コイン３を指１１で摘んで取り出せるように、本体２の摺接面１７とカード収容本体１２に設けた摺接部１６にて前記本体２と前記カード収容本体１２が係止片１４の端部１９がストッパー部１８に当たるまで摺接移動するように形成された点であり、このようにしても前記本発明の第２の実施するための形態及び、前記本発明の第３の実施するための形態と同様の作用効果が得られると共に、前記コインホルダ１に前記コイン３を指１１で摘んで収容、もしくは前記コインホルダ１に収容されているコイン３を指１１で摘んで取り出すことができる。
【００２２】    なお、前記の実施するための形態では、日本で使用されているコイン３を使用したコインホルダ１のみ説明したが、本発明はこれに限ることなく国外で使用されているコイン３を収容可能な本体２を形成し、コインホルダ１を形成しても同様なことが云える。
【産業上の利用可能性】
【００２３】    本発明はコインホルダを製造する産業で利用される。
【図面の簡単な説明】
【００２４】
【図１】本発明を実施するための最良の第１の形態の使用態様を示す平面図
【図２】本発明を実施するための最良の第１の形態の正面図
【図３】本発明を実施するための最良の第１の形態の使用態様を示す一部断面した正面図
【図４】本発明を実施するための最良の第１の形態の図３のＡ−Ａ線における断面図
【図５】本発明を実施するための最良の第１の形態の使用態様を示す一部断面した側面図
【図６】本発明を実施するための最良の第１の形態の使用態様を示す底面図
【図７】本発明を実施するための最良の第１の形態の底面図
【図８】本発明を実施するための最良の第１の形態の底面図
【図９】本発明を実施するための最良の第１の形態の使用するコインの説明図
【図１０】本発明を実施するための第２の形態の使用態様を示す平面図
【図１１】本発明を実施するための第２の形態の一部断面した正面図
【図１２】本発明を実施するための第２の形態の図１１のＡ−Ａ線における断面図
【図１３】本発明を実施するための第２の形態の使用態様を示す平面図
【図１４】本発明を実施するための第３の形態の一部断面した側面図
【図１５】本発明を実施するための第３の形態の一部断面した側面図
【図１６】本発明を実施するための第３の形態の正面図
【図１７】本発明を実施するための第３の形態の一部断面した底面図
【図１８】本発明を実施するための第４の形態の使用態様を示す一部断面した平面図
【図１９】本発明を実施するための第４の形態の正面図
【図２０】本発明を実施するための第４の形態の図１９のＡ−Ａ線における断面図
【図２１】本発明を実施するための第４の形態の一部断面した正面図
【図２２】本発明を実施するための第４の形態の一部断面した平面図
【図２３】本発明を実施するための第４の形態の正面図
【図２４】本発明を実施するための第４の形態の使用態様を示す底面図
【図２５】本発明を実施するための第４の形態の正面図
【図２６】本発明を実施するための第４の形態の正面図
【図２７】本発明を実施するための第４の形態の背面図
【図２８】本発明を実施するための第４の形態の背面図
【図２９】本発明を実施するための第４の形態の一部断面した側面図
【図３０】本発明を実施するための第４の形態の一部断面した側面図
【符号の説明】
【００２５】１：コインホルダ                        ２：本体
３：コイン                            ３Ａ：５００円
３Ｂ：１００円                        ３Ｃ：５０円
３Ｄ：１０円                          ３Ｅ：５円
３Ｆ：１円                              ４：開口部
５：収容部                              ６：保持体
７：カード                              ８：ガイド部
９：カード収容部                      １０：カード保持部
１１：指                              １２：カード収容本体
１３：係止部                          １４：係止片
１５：カード支持体                    １６：摺動部
１７：摺接面                          １８：ストッパー部
１９：端部                            ２０：周縁部
２１：穴                              ２２：逃がし部
【図１】
0005874112.tif 000002
【図２】
0005874112.tif 000003
【図３】
0005874112.tif 000004
【図４】
0005874112.tif 000005
【図５】
0005874112.tif 000006
【図６】
0005874112.tif 000007
【図７】
0005874112.tif 000008
【図８】
0005874112.tif 000009
【図９】
0005874112.tif 000010
【図１０】
0005874112.tif 000011
【図１１】
0005874112.tif 000012
【図１２】
0005874112.tif 000013
【図１３】
0005874112.tif 000014
【図１４】
0005874112.tif 000015
【図１５】
0005874112.tif 000016
【図１６】
0005874112.tif 000017
【図１７】
0005874112.tif 000018
【図１８】
0005874112.tif 000019
【図１９】
0005874112.tif 000020
【図２０】
0005874112.tif 000021
【図２１】
0005874112.tif 000022
【図２２】
0005874112.tif 000023
【図２３】
0005874112.tif 000024
【図２４】
0005874112.tif 000025
【図２５】
0005874112.tif 000026
【図２６】
0005874112.tif 000027
【図２７】
0005874112.tif 000028
【図２８】
0005874112.tif 000029
【図２９】
0005874112.tif 000030
【図３０】
0005874112.tif 000031